【事件の表示】
　特許第２７４０９３６号「自覚的屈折力検査装置」の特許に対する特許異議の申立てについて、次のとおり決定する。
【結論】
　訂正を認める。
　特許第２７４０９３６号の特許を維持する。
【理由】
１．手続の経緯
　特許第２７４０９３６号の発明は、昭和６２年７月１６日に出願した特願昭６２−１７９７２４号の一部を平成５年１２月１日に新たな特許出願としたものであって、平成１０年１月３０日にその設定登録がなされ、その後、申立人株式会社ニコンより特許異議申立がなされ、取消理由通知がなされ、その指定期間内である平成１１年４月１日に訂正請求がなされた後、訂正拒絶理由が通知され、訂正拒絶理由通知に対して平成１１年７月３０日付けで手続補正書が提出されたものである。
２．訂正の適否についての判断
２−１．訂正請求に対する補正
　特許権者は、訂正請求書に添付された訂正明細書について、以下の（１）及び（２）の補正を求めるものである。
（１）全文訂正明細書中の特許請求の範囲に
「【特許請求の範囲
　【請求項１】……該回転手段による回転された前記プリズムの回転位置を知る検知手段と、得られた前記プリズムの回転位置に基づいて、前記プリズムにより分離された２つの視標の被検者側からの見掛上の配置方向を検者に示すと共に、乱視度数又は乱視軸の変更が必要な場合に被検者の応答内容に対応させて操作すべき前記入力手段の対応情報を示す表示手段と、……
　【請求項２】……前記表示手段は少なくても上下左右の方向を示す方向表示手段を備え、……」とあるを、
「【特許請求の範囲】
　【請求項１】……該回転手段により回転された前記プリズムの回転位置を知る検知手段と、得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段と、……
【請求項２】……前記電気的表示手段は少なくても上下左右の方向を示す方向表示手段を備え、……」
と補正する。
（２）全文訂正明細書中の発明の詳細な説明の
「【０００４】
　【課題を解決するための手段】
　本発明は、上記課題を解決するために次の様な
構成を有する。
　（１）……該回転手段による回転された前記プリズムの回転位置を知る検知手段と、得られた前記プリズムの回転位置に基づいて、前記プリズムにより分離された２つの視標の被検者側からの見掛上の配置方向を検者に示すと共に、乱視度数又は乱視軸の変更が必要な場合に被検者の応答内容に対応させて操作すべき前記入力手段の対応情報を示す表示手段と、を備えることを特徴とする。
　（２）（１）の自覚的屈折力検査装置において、前記表示手段は……変えることを特徴とする。」とあるを、
「【０００４】
　【課題を解決するための手段】
　本発明は、上記課題を解決するために次の様な構成を有する。
　（１）……該回転手段により回転された前記プリズムの回転位置を知る検知手段と、得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段と、を備えることを特徴とする。
　（２）（１）の自覚的屈折力検査装置において、前記電気的表示手段は……変えることを特徴とする。」と補正する。
　上記（１）及び（２）の補正は、補正前の全文訂正明細書からみて、それぞれ特許請求の範囲の減縮及び明りょうでない記載の釈明に該当し、訂正請求書により訂正を求める範囲内のものである。
２−２．訂正の適否についての判断
２−２−１訂正後の発明
　訂正後の発明は、補正された訂正明細書の特許請求の範囲の第１項に記載された次の事項によって特定される以下のものである。
　「提示された視標についての被検者の応答を受けて被検眼の屈折力を検査する自覚的屈折力検査装置において、視標光束を分離するプリズムが接合されたオートクロスシリンダレンズと、該オートクロスシリンダレンズを回転可能に保持するレンズディスクと、電気的操作信号を入力する入力手段を持つ操作ユニットと、該入力手段の信号により前記レンズディスクを駆動して前記オートクロスシリンダレンズを検眼窓に移動する移動手段と、前記入力手段の信号に基づいて前記オートクロスシリンダレンズをレンズディスクに対して回転する回転手段と、該回転手段により回転された前記プリズムの回転位置を知る検知手段と、得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段と、を備えることを特徴とする自覚的屈折力検査装置。」（以下「本件発明」という。）
２−２−２訂正の要旨
　特許権者が求めている訂正の内容は以下の（１）及び（２）のとおりである。
訂正事項（１）
　特許第２７４０９３６号明細書の特許請求の範囲の第１、２項を、特許請求の範囲の減縮を目的として、次のとおり訂正し、第３項を誤記の訂正を目的として削除する。
　「【請求項１】提示された視標についての被検者の応答を受けて被検眼の屈折力を検査する自覚的屈折力検査装置において、視標光束を分離するプリズムが接合されたオートクロスシリンダレンズと、該オートクロスシリンダレンズを回転可能に保持するレンズディスクと、電気的操作信号を入力する入力手段を持つ操作ユニットと、該入力手段の信号により前記レンズディスクを駆動して前記オートクロスシリンダレンズを検眼窓に移動する移動手段と、前記入力手段の信号に基づいて前記オートクロスシリンダレンズをレンズディスクに対して回転する回転手段と、該回転手段により回転された前記プリズムの回転位置を知る検知手段と、得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段と、を備えることを特徴とする自覚的屈折力検査装置。
　　【請求項２】請求項１の自覚的屈折力検査装置において、前記電気的表示手段は少なくても上下左右の方向を示す方向表示手段を備え、オートクロスシリンダレンズの回転位置に基づいて前記方向表示手段の表示を変えることを特徴とする自覚的屈折力検査装置。」
訂正事項（２）
　特許請求の範囲の訂正に伴い、不明瞭な記載の釈明を目的として
▲１▼【０００４】を次のように訂正する。
「【０００４】
　【課題を解決するための手段】
　本発明は、上記課題を解決するために次の様な構成を有する。
　（１）提示された視標についての被検者の応答を受けて被検眼の屈折力を検査する自覚的屈折力検査装置において、視標光束を分離するプリズムが接合されたオートクロスシリンダレンズと、該オートクロスシリンダレンズを回転可能に保持するレンズディスクと、電気的操作信号を入力する入力手段を持つ操作ユニットと、該入力手段の信号により前記レンズディスクを駆動して前記オートクロスシリンダレンズを検眼窓に移動する移動手段と、前記入力手段の信号に基づいて前記オートクロスシリンダレンズをレンズディスクに対して回転する回転手段と、該回転手段により回転された前記プリズムの回転位置を知る検知手段と、得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段と、を備えることを特徴とする。
　（２）（１）の自覚的屈折力検査装置において、前記電気的表示手段は少なくても上下左右の方向を示す方向表示手段を備え、オートクロスシリンダレンズの回転位置に基づいて前記方向表示手段の表示を変えることを特徴とする。」
▲２▼また、【０００７】を次のように訂正する。
「【０００７】
　プラス乱視レンズディスク１２とマイナス乱視レンズディスク１３は、測定光軸１を回転中心として、図示なきモータより各々が独立して回転可能であり、度数が等しく、符号の異なる乱視レンズ１４、１５が配置されており、各々のレンズの乱視軸を相対的に変化させることにより、乱視レンスの度数を連続的に変えることができる。
　補助レンズディスクＢ４Ｂは軸３ａを回転中心として、補助レンズディスクＢ４Ｂの切換モータ１６により歯車１７を介して回転することができる。
　測定光軸１を回転中心にして回転可能なプリズムディスクＡ２０とプリズムディスクＢ２１上に配置されているプリズムＡ１８とプリズムＢ１９は偏角が等しく、回転方向における相対的な変化によりプリズム屈折力を連続的に変えることができる。太陽歯車Ａ２２は歯車２３が固定されており、回転モータ２４の回転をプリズムディスクＡ２０に伝える働きをする。
　以上の機構はカバー２７、保護ガラスＡ２８，保護ガラスＢ２９で密閉されている。」
▲３▼さらに、【００２０】を次のように訂正する。
「【００２０】
　【発明の効果】
　以上に示したように、本発明によれば、被検者が認知する２つの視標の見掛上の配置方向を検者が直ちに知ることができるので、検者は迷うことなく被検者に適切な質問を行うことができるとともに、必要な前記操作ユニットによる乱視度数又は乱視軸の変更を被検者の応答に対応させて検者に示すことができるので、操作の誤りを未然に防止し迅速かつ円滑な検査を実行することができる。また、オートクロスシリンダレンズをレンズディスクに配置するので、検者が検査装置本体に近付いて無理な姿勢で一々操作することなくオートクロステストが必要なときに、操作ユニットを操作するだけで簡単に検査を実行でき、検査時間の短縮を図ることができる。
　さらに、プリズムにより分離された２つの視標の見掛上の配置方向を例えば左右というように一定の方向で表現できるので、一層検査を円滑にすることができる。」
２−２−３．訂正の目的の適否、新規事項の有無及び拡張・変更の存否
　上記訂正事項（１）は、特許請求の範囲に記載された第１項（必須要件項）及び第２項（実施態様項）に記載された、オートクロスシリンダの構成、表示手段の構成を願書に添付された明細書及び図面の記載に基づいて限定し、誤記に基づく第３項の実施態様項を削除するものであり、特許請求の範囲の減縮及び誤記の訂正を目的とするものである。また、これは願書に添付した明細書又は図面に記載した事項の範囲内の訂正であり、実質上特許請求の範囲を拡張し、又は変更するものでもない。
　上記訂正事項（２）は、訂正事項（１）による特許請求の範囲の訂正に伴って生じる記載の不整合を解消させるためのものであり、明瞭でない記載の釈明に相当する。
　従って、これら訂正事項（１）及び（２）は、特許請求の範囲の減縮及び明りょうでない記載の釈明に相当するものである。また、これらは、願書に添付した明細書及び図面に記載した事項の範囲内の訂正であり、実質上特許請求の範囲を拡張し又は変更するものでもない。
２−２−４．独立特許要件の判断
２−２−４−１．刊行物
　当審が発した取消理由通知書、訂正拒絶理由通知において引用した刊行物は以下のとおりであり、異議申立人が提示した甲第１号証〜甲第４号証及び参考文献に対応する。
刊行物１：　実公昭５２−３４８７２号公報（甲第１号証）
刊行物２：　特開昭５５−１５１９３７号公報（甲第２号証）
刊行物３：　特公昭３５−３２９７号公報（甲第３号証）
刊行物４：　ＴＯＰＣＯＮ　ビジヨンテスターＶＴ−ＳＤカタログ（甲第４号証）
刊行物５：　「眼科器械の使い方」１９７５年４月１日　医学書院発行第４頁〜第９頁（参考文献）
［刊行物１］
　刊行物１において、その第２頁第３欄３６〜３９行に「各一対のクロスシリンダーレンズ及び転向プリズムが対称的に組み込まれた枠１１ａを視力検査機の本体がわに設けた覗き窓１４の中心軸０−０の周りに回動し得る」と記載されている。また、第２図から第４図に、従来例の第１図に比し簡略化され、枠１１ａに組み込まれたオートクロスシリンダレンズの構成が開示されている。すなわち、このオートクロスシリンダレンズは、覗き窓１４（検眼窓）の中心軸０−０の周りに回動することが開示されている。第２頁第３欄第４２行から第４欄第６行に、「枠１１はターレット板１２に回動自在には嵌装されており、‥ターレットを軸１３の周りに回わし、当該検査用光学体の部分を視力検査機の本体がわに設けられた前記覗き窓１４の視軸０−０に合致させて検眼を行うものである」と記載されている。すなわち、オートクロスシリンダレンズは、ターレット板１２（レンズディスクに相当）に回転可能に保持され、また、このターレット板はオートクロスシリンダレンズを検眼窓に移動する構成をもつことが開示されている。第２頁第４欄第２１〜２９行に、「更に検診者は前記目盛付回動操作用摘みを回わすと、枠１１は覗き窓１４の軸０−０の周りに回転するから上記二つの像Ｍ１、Ｍ２は視軸０−０の周りに回動すると同時に、像Ｍ１、Ｍ２は各像の中心の周りにも自転することになる。このときの両像の見えの状態を尋ね、かつ上記操作摘みの目盛を読むことによって検診者は被検者の乱視度およびその軸を知り得ることになる」と記載されている。すなわち、枠１１ａに組み込まれたオートクロスシリンダレンズを覗き窓１４に合致させ、目盛付回動操作用摘みを回し、オートクロスシリンダレンズを視軸０−０周りに回転すると、像Ｍｌ．Ｍ２が視軸０−０周りに回転し、２つの像は左右、上下、斜めのいずれかの方向に観察され、このときの両像の見え具合に関する被検者の応答と目盛付回動操作用摘みの目盛りとによって、乱視度数、乱視軸を知る自覚的乱視検眼装置が開示されている。
［刊行物２］
　刊行物２において、第３頁右上欄第２〜６行に、「球面レンズ及び円柱レンズがレンズ板に配設され且つ観察光路中に導入され得るようになっていて、該レンズ板の電動装置が操作ユニット及び表示ユニットに連結されたプログラム制御ユニットに結合せしめられている」と、視力検査装置の全体構成が記載されている。第１図を参照すると、レンズ板３及び４（レンズディスク）には、それぞれ円柱レンズが配設されており、円柱レンズ２枚の組合せで交叉円柱レンズ（クロスシリンダレンズ）を構成していることが示されている。また、第３頁左下欄第１４〜１７行に、「円柱レンズ７のための枠９は、円柱レンズ７を変換するための回動運動の他に、太陽輸１０により駆動されて軸位置を設定するためにその中心軸の周りに連帯的に回転され得るように、遊星輪として構成されている」と記載されている。すなわち、クロスシリンダレンズがその中心軸の周りに回転されることが開示されている。第３頁右下欄第２〜３行に、「電動装置１５が円柱レンズ７の軸回転のために使用される」と記載され、同欄第９〜１７行に、「すべての電動装置１１，１２，１３，１４は制御ユニット１００により制御可能であり論理的に相互連結可能である。ステッピングモータが電動装置１１，１２，１３，１４として使用されると有利である。というのはこれがたとえポテンシヨメータまたは絶対コードスライダまたは光遮断器の形態であっても実際値の採取装置なしに個々のレンズ板１，２，３，４の正確な位置決めを可能にするからである」と記載されている。ここでは、電動装置１５が抜けているが、第１図に電動装置１５も制御ユニット１００に連結されていることから、クロスシリンダレンズの軸回転も、個々のレンズ板の回転と同様に、電動装置で駆動され、その正確な位置決めのために、電動装置をステッピングモータとしたり、回転角度計測にポテンシヨメータ、絶対コードスライダ、光遮断器が使用される。第３頁左上欄第１２〜１６行に、「レンズ組合せの円柱部分の軸整合のためにそれが任意の設定軸位置に関して同量だけ正方向及び負方向に回動せしめられ得且つ患者により選択された方向が再設定され」と記載されている。すなわち、レンズ組合せの円柱部分（クロスシリンダレンズ）が設定軸位置に関して同量だけ正方向及び負方向に回動され、且つ被検者の応答に対応させて操作が行われることが開示されている。また、第３頁右下欄第１７行〜第４頁左上欄第３行に、「制御ユニット１００は‥円柱及び円柱の軸位置を表示する表示ユニット３００に連結されていて、他方では制御ユニット１００によりこれらの操作を行うように視力検査装置を操作することを可能にする操作ユニット２００に連結されている」と記載されている。すなわち、被検者の応答内容を表示する表示ユニット３００と、視力検査装置の入力手段に操作すべき情報を送る操作ユニット２００とが開示されている。
［刊行物３］
　刊行物３において、第１頁左欄第２１〜２６行に、「同一のクロスドシリンダーレンズ２個を用い、その一方の＋軸線と他方＋の軸線とを９０度偏して並置し、換言すれば一方のレンズに対し他方のレンズを恰も斜に反転した状態に配置しかくして両レンズからの光線をプリズム又は反射鏡により接眼部に導いて左右２箇所に同一映像を結ばせる」ようにしたオートクロスシリンダレンズが開示されている。また、第１頁右欄第１４〜１９行に、第３図の説明として、「各クロスドシリンダーレンズを支持するリング２２，２３には夫々ツマミ３２，３３を設け、このリングをクラウン歯車１２，１３のリングと伝動関係に摩擦接触させ、該ツマミの操作により歯車装置に関係なくクロスドシリンダーレンズの回転角度を左右任意に加減し得るようにするのがよい」と記載されており、これに関連する第３図には、リング２２，２３の回転角度を示す目盛りが図示されている。
［刊行物４］
　刊行物４のカタログは、刊行物５として提示する「眼科器械の使い方」（１９７５年４月１日発行）の第４頁に掲載されているトプコンビジョンテスタースーパーＤ型と称する自覚的屈折力検査装置に関するカタログと考えられる。本カタログの「ＶＴ−ＳＤの８つの特長」の３番目の欄に、検者側から見たオートクロスの写真とそれに対応する像の位置を示す図が２組載っている。その右側の組には、検者側から見た一対のクロスシリンダレンズが右上と左下に位置し、被検者が見る２つの像が左上と右下に位置していることが示されている。ここには、検者側から見た一対のクロスシリンダレンズと被検者側から見た２つの像の対応が示されている。また、オートクロスにＩｎｃ．と　Ｄｅｃ．の２つの矢印が書かれており、被検者の応答に対応させてオートクロスを回転操作する方向を示す表示手段に相当すると考えられる。
２−２−４−２．対比・判断
　刊行物１に記載されたオートクロスシリンダレンズが刊行物４又は５のクロスシリンダー（オートクロス）の構成に相当することを総合して、刊行物４又は５の記載を検討すると、刊行物４，５には、
Ａ．提示された視標についての被検者の応答を受けて被検眼の屈折力を検査する自覚的屈折力検査装置
Ｂ．視標光束を分離するプリズムを持つオートクロスシリンダレンズ
Ｃ．該オートクロスシリンダレンズを回転可能に保持するレンズディスク
Ｅ．前記レンズディスクを駆動して前記オートクロスシリンダレンズ検眼窓に移動する移動手段
Ｆ．前記オートクロスシリンダレンズを回転する回転手段
Ｈ．前記プリズムにより分離された２つの視標の被検者側からの見掛け上の配置方向を検者に示すと共に、乱視度数又は乱視軸の変更が必要な場合に被検者の応答内容に対応させて操作すべき前記入力手段の対応情報を示す表示手段を備えた自覚的屈折力検査装置が開示されている。
　してみると、刊行物１，４，５から把握される自覚的屈折力検査装置と本件発明とは以下の点で相違する。
［相違点１］
　本件発明は「電気的操作信号を入力する入力手段を持つ操作ユニット」を備え、
「入力手段の信号によりオートクロスシリンダレンズを検眼窓に移動」し、
「入力手段の信号に基づいてオートクロスシリンダレンズをレンズディスクに対して回転する回転手段」、「該回転手段による回転された前記プリズムの回転位置を知る検知手段」を備えているのに対し、
刊行物１，４，５から把握される自覚的屈折力検査装置は、そのような操作ユニットを備えておらず、移動手段、回転手段、回転位置を知る検知手段を備えていない点。
［相違点２］
　本件発明はクロスシリンダレンズをプリズムと接合されたものとしているのに対し、刊行物１，４，５から把握される自覚的屈折力検査装置は、その点が明らかでない点。
［相違点３］
　本件発明は、「得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段」を備えるのに対して、刊行物１，４，５から把握される自覚的屈折力検査装置はそのような電気的表示手段を備えていない点。
　そこで、上記相違について検討する。
　まず、［相違点１］について検討するに、刊行物２には、「球面レンズ及び円柱レンズがレンズ板に配設され且つ観察光路中に導入され得るようになっていて、該レンズ板の電動装置が操作ユニット及び表示ユニットに連結されたプログラム制御ユニットに結合せしめられている」視力検査装置の全体構成が記載されているから、刊行物１，４，５から把握される自覚的屈折力検査装置に、オートクロスシリンダレンズについての、移動手段、回転手段、回転位置を知る検知手段を備えた操作ユニットを設けること自体は、当業者が容易に想到できた事項と認められる。
　次に、［相違点２］について検討するに、光学部材を接合すること自体は、本願の出願前普通に行われていたことであり、機器の設計上当業者が適宜採用できる事項である。
　さらに、［相違点３］について検討する。刊行物１〜５には、「得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段」について記載されていない。刊行物４，５にはオートクロスシリンダレンズの回転方向についての固定された表示が認められるが、これは視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示するものとは認められない。また、刊行物４，５に示された、オートクロスシリンダレンズの回転方向についての固定された表示に基づいて、「得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段」を当業者が容易に想到できたとも認められない。
　そして、本件発明の「相違点３］に関する構成により、本件発明は、刊行物１〜５からは予測することのできない「操作の誤りを未然に防止し迅速かつ円滑な検査を実行することができる」という効果を生じるものと認められる。
　従って、本件発明は刊行物１〜５に記載された発明に基づいて当業者が容易に発明できたものとは認められない。
２−３．むすび
　以上のとおりであるから、上記訂正は、特許法第１２０条の４第２項及び同条第３項で準用する同法第１２６条第２項から第４項で規定する訂正について、平成６年法律第１１６号附則第６条第１項の規定によりなお従前の例によるとされる改正前の特許法第１２６条第１項ただし書き、同条第２〜３項の規定に適合するので、当該訂正を認める。
３．特許異議の申立てについての判断
３−１申立ての理由の概要
　異議申立人株式会社ニコンは、特許第２７４０９３６号の発明は、甲第１〜４号証の刊行物及び参考文献に記載された発明に基づいて、当業者が容易に発明をすることができたものであるから、特許法第２９条第２項の規定により、特許を受けることができないものであり、取り消されるべきものである旨主張している。
３−２判断
　本件発明は、上記２−２−４．独立特許要件の判断で示したように、異議申立人の提示した刊行物１〜５に記載された発明に基づいて当業者が容易に発明できたものではない。
　そして、他に本件発明を取り消すべき理由を発見しない。
　よって、結論のとおり決定する。
【異議決定日】
平成１１年９月１４日（１９９９．９．１４）
【訂正の要旨】
訂正の要旨
　特許第２７４０９３６号発明（平成５年１２月１日出願（遡及日昭和６２年７月１６日）、平成１０年１月３０日設定登録）の願書に添付した明細書及び図面（以下、「原明細書」という。）を、特許請求の範囲の減縮、誤記の訂正及び明りょうでない記載の釈明を目的として、訂正請求書（平成１１年４月１日請求、平成１１年７月３０日補正）に添付した訂正明細書のとおり、すなわち、次の（１）及び（２）のとおり訂正する。
訂正事項（１）
　原明細書の特許請求の範囲の第１、２項を、特許請求の範囲の減縮を目的として、次のとおり訂正し、第３項を誤記の訂正を目的として削除する。
　「【請求項１】提示された視標についての被検者の応答を受けて被検眼の屈折力を検査する自覚的屈折力検査装置において、視標光束を分離するプリズムが接合されたオートクロスシリンダレンズと、該オートクロスシリンダレンズを回転可能に保持するレンズディスクと、電気的操作信号を入力する入力手段を持つ操作ユニットと、該入力手段の信号により前記レンズディスクを駆動して前記オートクロスシリンダレンズを検眼窓に移動する移動手段と、前記入力手段の信号に基づいて前記オートクロスシリンダレンズをレンズディスクに対して回転する回転手段と、該回転手段により回転された前記プリズムの回転位置を知る検知手段と、得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段と、を備えることを特徴とする自覚的屈折力検査装置。
　　【請求項２】請求項１の自覚的屈折力検査装置において、前記電気的表示手段は少なくても上下左右の方向を示す方向表示手段を備え、オートクロスシリンダレンズの回転位置に基づいて前記方向表示手段の表示を変えることを特徴とする自覚的屈折力検査装置。」
訂正事項（２）　　　　　
　特許請求の範囲の訂正に伴い、明りょうでない記載の釈明を目的として▲１▼原明細書の段落番号【０００４】の内容を次のように訂正する。
「【０００４】
　【課題を解決するための手段】
　本発明は、上記課題を解決するために次の様な構成を有する。
　（１）提示された視標についての被検者の応答を受けて被検眼の屈折力を検査する自覚的屈折力検査装置において、視標光束を分離するプリズムが接合されたオートクロスシリンダレンズと、該オートクロスシリンダレンズを回転可能に保持するレンズディスクと、電気的操作信号を入力する入力手段を持つ操作ユニットと、該入力手段の信号により前記レンズディスクを駆動して前記オートクロスシリンダレンズを検眼窓に移動する移動手段と、前記入力手段の信号に基づいて前記オートクロスシリンダレンズをレンズディスクに対して回転する回転手段と、該回転手段により回転された前記プリズムの回転位置を知る検知手段と、得られた前記プリズムの回転位置に基づいて、前記プリズムにより分離された２つの視標の被検者側からの見掛上の配置方向を検者に表示すると共に、乱視度数又は乱視軸の変更が必要な場合に前記見掛上の配置方向と被検者の応答内容に対応させて操作すべき前記入力手段の対応情報を表示する電気的表示手段と、を備えることを特徴とする。
　（２）（１）の自覚的屈折力検査装置において、前記電気的表示手段は少なくても上下左右の方向を示す方向表示手段を備え、オートクロスシリンダレンズの回転位置に基づいて前記方向表示手段の表示を変えることを特徴とする。」
▲２▼また、原明細書の段落番号【０００７】の内容を次のように訂正する。
「【０００７】
　プラス乱視レンズディスク１２とマイナス乱視レンズディスク１３は、測定光軸１を回転中心として、図示なきモータより各々が独立して回転可能であり、度数が等しく、符号の異なる乱視レンズ１４、１５が配置されており、各々のレンズの乱視軸を相対的に変化させることにより、乱視レンスの度数を連続的に変えることができる。
　補助レンズディスクＢ４Ｂは軸３ａを回転中心として、補助レンズディスクＢ４Ｂの切換モータ１６により歯車１７を介して回転することができる。
　測定光軸１を回転中心にして回転可能なプリズムディスクＡ２０とプリズムディスクＢ２１上に配置されているプリズムＡ１８とプリズムＢ１９は偏角が等しく、回転方向における相対的な変化によりプリズム屈折力を連続的に変えることができる。太陽歯車Ａ２２は歯車２３が固定されており、回転モータ２４の回転をプリズムディスクＡ２０に伝える働きをする。
　以上の機構はカバー２７、保護ガラスＡ２８，保護ガラスＢ２９で密閉されている。」
▲３▼さらに、原明細書の段落番号【００２０】の内容を次のように訂正する。
「　【００２０】
　【発明の効果】
　以上に示したように、本発明によれば、被検者が認知する２つの視標の見掛上の配置方向を検者が直ちに知ることができるので、検者は迷うことなく被検者に適切な質問を行うことができるとともに、必要な前記操作ユニットによる乱視度数又は乱視軸の変更を被検者の応答に対応させて検者に示すことができるので、操作の誤りを未然に防止し迅速かつ円滑な検査を実行することができる。また、オートクロスシリンダレンズをレンズディスクに配置するので、検者が検査装置本体に近付いて無理な姿勢で一々操作することなくオートクロステストが必要なときに、操作ユニットを操作するだけで簡単に検査を実行でき、検査時間の短縮を図ることができる。
　さらに、プリズムにより分離された２つの視標の見掛上の配置方向を例えば左右というように一定の方向で表現できるので、一層検査を円滑にすることができる。」
（５４）【発明の名称】
自覚的屈折力検査装置
（５７）【特許請求の範囲】
　【請求項１】　提示された視標についての被検者の応答を受けて被検眼の屈折力を検査する自覚的屈折力検査装置において、視標光束を分離するプリズム
が接合された
り
表示する
前記見掛上の配置方向と
表示する電気的
　【請求項２】　請求項１の自覚的屈折力検査装置において、前記
電気的
的
【発明の詳細な説明】
　　　【０００１】
　　【産業上の利用分野】
　この発明は、クロスシリンダテスト用レンズを使用し、乱視の検査を行う自覚的屈折力検査装置に関する。
　　　【０００２】
　　【従来の技術】
　乱視の度数及び軸を自覚的に検査するものとしては、クロスシリンダテスト用レンズを使用する装置が知られている。クロスシリンダテスト用レンズは、絶対値が等しく、符号が異なる２枚の円柱レンズをその軸を９０゜ずらして接合したものであるが、検査はまずこれを眼前に配置し、これを介して被検者に所定の視標を見せ、その時の視標の見え方を記憶させる。その後クロスシリンダテスト用レンズを９０゜回転させた状態で、被検者に再度視標を見せ、前の視標の見え方と比較させることを通じて被検眼の乱視度数及び軸を決定するものである。
　この方法では、被検者は記憶をもとに見え方の比較判断を要求されるが、記憶の限界から微妙な判断は難しく、検査の正確性が保証されない。
　このため、特公昭３５−３２９７５号公報に記載されている如く、視標像をプリズムにより分離し、各光路には光学特性の等しいクロスシリンダレンズを軸方向を９０゜ずらせた状態で配置し、比較する２つの視標像を同時に見えるようにした装置も開発された。
　確かに、この装置では視標像の比較を明確にできるが、像を左右に分離する手段が固定されているので、検査装置本体に内蔵させることができないことや、クロスシリンダテスト用レンズと矯正用乱視レンズとを同期させて回転させる機構が複雑となってしまう欠点がある。
　上記欠点を改善するものとして、実公昭５２−３４８７２号公報記載の考案がある。
　　　【０００３】
　　【発明が解決しようとする課題】
　上記考案においては、先の欠点は改善されたものの、他方で矯正用乱視レンズの軸方向により認識する視標の分離方向が変わってしまうので、被検者に対する質問も像の分離方向を確認しながら行わなければならない煩雑さとともに、誤認しやすいという欠点を随伴する。
　本発明は、上記欠点に鑑み案出されたものであり、簡単な構成で乱視検査が容易な自覚的屈折力検査装置を提供することにある。
　　　【０００４】
　　【課題を解決するための手段】
　本発明は、上記課題を解決するために次の様な構成を有する。
　（１）　提示された視標についての被検者の応答を受けて被検眼の屈折力を検査する自覚的屈折力検査装置において、視標光束を分離するプリズム
が接合された
り
前記見掛上の配置方向と
表示する電気的
　（２）　（１）の自覚的屈折力検査装置において、前記
電気的
　　　【０００５】
　　　【０００６】
　　【実施例】
　以下、本発明の１実施例を図面に基づいて説明する。
　図１は、本発明に係る自覚的屈折力検査装置本体の左眼測定ユニットを上側から見た断面図である。
　１は測定光軸であり、その延長上に図示なき視力表があり、被検者は検者の質問に対して被検眼２の眼前に配置された各種レンズを介して視力表を見ながら応答する。
　補助レンズディスクＡ４Ａ，強球面レンズディスク５、弱球面レンズディスク６が、軸３を回転中心に配置されており、それぞれのディスクの同一円周上には、複数の補助レンズ７、強球面レンズ８、弱球面レンズ９が配置されている。弱球面レンズディスク６の外周には歯車１０を介して弱球面レンズ回転モータ１１の歯車と連結している。他のディスクも同様に図示なきモータにてレンズ切換えが行われる。
　　　【０００７】
　プラス乱視レンズディスク１２とマイナス乱視レンズディスク１３は、測定光軸１を回転中心として、図示なきモータより各々が独立して回転可能であり、度数が等しく、符号の異なる乱視レンズ１４、１５が配置されており、各々のレンズの乱視軸を相対的に変化させることにより、乱視レンスの度数を連続的に変えることができる。
　補助レンズディスクＢ４Ｂは軸３ａを回転
中心
　測定光軸１を回転中心にして回転可能なプリズムディスクＡ２０とプリズムディスクＢ２１上に配置されているプリズムＡ１８とプリズムＢ１９は偏角が等しく、回転方向における相対的な変化によりプリズム屈折力を連続的に変えることができる。太陽歯車Ａ２２は歯車２３が固定されており、回転モータ２４の回転をプリズムディスクＡ２０に伝える働きをする。
　以上の機構はカバー２７、保護ガラスＡ２８，保護ガラスＢ２９で密閉されている。
　　　【０００８】
　図２は補助レンズディスクＢ４Ｂを被検眼２側から見た図であり、補助レンズディスクＢ４Ｂ上にはプリズムＡ１８、プリズムＢ１９、穴３０、−０．１２ディオプタ（以下Ｄと略す）球面レンズ３１、クロスシリンダレンズ３２、３３、３４、補助乱視レンズ３５が配置されており、太陽歯車２２を介して、回転モータ２４により回転可能である。３２は＋０．２５Ｄ円柱レンズと、−０．２５Ｄ円柱レンズとの円柱軸が直交して組み合わされたレンズであり、３３のクロスシリンダレンズは３２とは円柱度数を異にし、両者は被検者の状態に合わせて選択使用される。クロスシリンダテスト用レンズ３４は、図３に示すように、中心部が厚く周辺部が薄い左右対称形状のプリズム３６に互いに軸が９０゜異なるクロスシリンダレンズ３７、３８が接合された構成をしており、視力表からの光はプリズム３６にて偏向されることから、視力表は視線の方向３９、４０の２つに分離して観察される。分離された視力表の像は、それぞれがクロスシリンダレンズ３７、３８を通ることから、被検者は左右２つの像を比較することによりクロスシリンダテストを行うことができる。
　　　【０００９】
　図４は図１に示す実施例の制御ブロック図である。４１、４２、４３、４４、４５はそれそれ球面度数、乱視度数、軸角度、プリズム度数上下方向、プリズム度数左右方向の選択スイッチであり、４８は、各度数変更のためのロータリエンコーダ、４７は波形整形回路、４９は入力回路である。マイクロプロセッサ５０、メモリ５１、５２により構成される制御部は、モータ駆動命令を出力回路５３を通じ、モータ駆動回路５４〜６１に送る。１１、１６、２４、２６、６２〜６５はそれそれディスクレンズを駆動させるためのモータである。
　　　【００１０】
　次に以上の構成に基づく本実施例の装置の動作を説明する。
（球面度数の切換）
　検者が球面度数選択スイッチ４１を押した後、ロータリエンコーダ４８を回転させた際には、ロータリエンコーダ４８の回転方向及び回転角度に基づき、ＣＰＵ５０より出力回路５３、モータ駆動回路５５、５６を通じて、強球面レンズ切換モータ６３及び弱球面レンズ切換モータ１１へ駆動信号が発せられ、図１における強球面レンズディスク５と、弱球面レンズディスク６が回転し、所定の球面レンズの組み合わせが選択され、測定光軸１にセットされる。強球面レンズディスク５には３Ｄ単位の球面レンズが１２枚、弱球面レンズディスク６には０．２５Ｄ単位のレンズを１２枚それぞれ配置されており、球面度数を０．２５単位で−１９〜１６．７５Ｄまで切換えることができる。
（乱視度数、乱視軸の切換）
　図１において、プラス乱視レンズ１４、マイナス乱視レンズ１５はいわゆるＳｔｏｋｅｓのクロス円柱を構成しており、各レンズの度数をＤ、互いの円柱軸の角度差をε、合成乱視度数をＤε，合成の軸角度をＡｘとすると、
　　Ｄε＝−２Ｄｓｉｎε
　　Ａｘ＝ε／２−９０°
なる関係式が成り立つ。
　　　【００１１】
　図４において、検者が乱視度数を変化させるには、乱視度数選択スイッチ４２を押し、必要な変化量だけロータリエンコーダ４８を回転させ、ＣＰＵ５０にて演算された回転量の信号をプラス乱視レンズ回転モータ６４、マイナス乱視レンズ回転モータ６５に与えて回転させ、該乱視度数を発生させる。乱視軸を変化させるときは、検者は、乱視軸選択スイッチ４３を押した後、ロータリエンコーダ４８を回すことによりプラス乱視レンズ回転モータ６４、マイナス乱視レンズ回転モータ６５が回転し、プラス乱視レンズ１４、マイナス乱視レンズ１５を同一方向に同角度回転させることにより乱視軸が変わる。
　ところで、Ｓｔｏｋｅｓのクロス円柱においては、乱視度数の変化にともない球面度数が発生する。
その球面度数Ｄｓは
　　Ｄｓ＝−Ｄε／２
である。このため、この球面度数を他のレンズにて打ち消す必要がある。
　乱視度数検査装置の最小単位は通常０．２５Ｄであるので、打ち消すべき球面度数の最小単位は０．１２Ｄとなる。本実施例では、図２の補助レンズディスクＢ４Ｂに−０．１２Ｄの球面レンズを配置し、これと穴３０とを切換えることにより、０．１２Ｄの打ち消しを行う。
　以下に組み合わせ例を示す。
　【表１】
　乱視度数にＤεに対するＤｓ１，Ｄｓ２，Ｄｓ３の組み合わせをあらかじめＲＯＭ５１にプログラムしておくことにより、ロータリエンコーダ４８からの乱視度数変換信号に基づき、ＣＰＵ５０が所定の位置に各ディスクを回転させるべく信号を１１、１６、６３〜６５の各モータに送ることにより達成できる。
　ただし、図２において、プリズムＡ１８，プリズムＢ１９を測定光軸１上に置き、プリズム測定を行うとき、あるいは補助レンズディスクＢ４Ｂ上の他のレンズ３２〜３５を使用するときは、−０．１２Ｄレンズ３１は使用できないので、図５に示す補助レンズディスクＡ４Ａ上の−０．１２Ｄ球面レンズ６６を使用する。このときの動作は前記した穴３０と、−０．１２Ｄレンズ３１の切換えと同様に穴７と−０．１２Ｄ球面レンズ６６を補助レンズＡの切換えモータ６２により切換える。
　　　【００１２】
　また、両眼視開放屈折検査において、クロスシリンダテストを行うときは、図５の偏光板６７と図２のクロスシリンダテスト用レンズ３２、３３、３４を同時に使用するので、いずれのディスク上の−０．１２Ｄ球面レンズも使用できないが、偏光板６７と同じ光学的性質の偏光板に−０．１２Ｄ球面レンズを組み合わせたレンズ６８を補助レンズディスクＡ４Ａに用意し、乱視度数の変化に基づき偏光板６７との切換えを行うことにより、−０．１２Ｄ球面度数の補正が可能となる。
　一般の自覚式検査における補助レンズディスクには、偏光レンズの他、マドックレンズ、赤フィルタ、緑フィルタ等斜位測定または輻輳測定に使用する特殊な補助レンズがある。これら補助レンズと補助レンズディスクＢのプリズムとを組み合わせて使用することがあるが、いずれもプリズム測定であり、また、日常視ではない機械近視の発生しやすい特殊な状態での検査であるので、球面度数０．１２Ｄの誤差がプリズム度数の測定に特に影響することはない。
　　　【００１３】
（プリズム度数の変換）
　図４のプリズム度数上下方向選択スイッチ４４を押すと、モータ１６により補助レンズディスクＢ４Ｂが切換えられ、測定光軸１上にプリズムＡ１８とプリズムＢ１９がおかれる。プリズムＡとプリズムＢは同度数であり、前者は基底方向が水平方向右側に、後者は基底方向が水平方向左側にあることから、プリズム度数は０Δとなる。ロータリエンコーダ４８を時計方向に回転されると、ＣＰＵ５０から回転モータ２４、２６に信号が送られ、プリズムＡ１８は時計方向に、プリズムＢ１９は反時計方向に所定の角度θだけ回転させ、プリズムＡ，Ｂにより合成プリズムの基底方向を下方とすることができる。合成プリズムの基底方向を上方にするには、ロータリエンコーダ４８を反時計方向に回転し、プリズムＡを反時計方向に、プリズムＢを時計方向に回転すればよい。プリズムの回転角をθ、合成のプリズム度数をＰ，プリズムＡとプリズムＢのプリズム度数をＰＡとすると、
　　Ｐ＝２ＰＡ　ＣＯＳθ
となる式が成り立つので、この式に基づくプログラムをＲＯＭ５１に入れておくことにより、必要なプリズム度数を実現できる。
　左右方向のプリズム度数を変えるには、プリズム度数左右方向選択スイッチ４５を押すことにより、プリズムＡが基底上方に配置され、プリズムＢが基底下方向に配置される。ロータリエンコーダ４８の回転方向により合成プリズムの基底方向の左右が定められ、回転量により合成プリズム度数が定められるのは、上下方向の場合と同様である。
　　　【００１４】
（クロスシリンダテスト）
　実施例では、クロスシリンダテスト用レンズが３個あり、予め、設定スイッチで使用するレンズを選択しておく。３２は±０．２５Ｄのクロスシリンダテスト用レンズである。クロスシリンダテストには乱視軸の精密修正と乱視度数の精密修正があり、この手順で説明する。
　赤緑テスト用視標チャートを被検眼前方５ｍに置き、球面度数選択スイッチ４１を押し、ロータリエンコーダ４８を回転して強、弱の球面レンズディスク５、６を回転・切換え赤緑テストを行い、赤地の文字と緑地の文字が同じ濃さに見える状態になった後、更に−０．２５Ｄを加え、チャート像の最小錯乱円を被検眼眼底に一致させる。次にチャートを方向性の少ない文字指標等に変え、軸角度選択スイッチ４３を押し、軸角度の測定モードであることを入力回路４９、ＣＰＵ５０を介しＲＡＭ５２に記憶させ、クロスシリンダ正転スイッチ４６Ａを押す。これにより補助レンズディスクＢ４Ｂを回転されるべく、補助レンズＢの切換えモータ１６が回転し、光軸上にクロスシリンダレンズ３２がセットされるとともに、３２のマイナスシリンダ軸が乱視レンズ１４、１５の合成乱視のマイナス軸に対し４５゜反時計方向に傾斜するよう回転モータ２４が回転する。
　次にクロスシリンダ反転スイッチ４６Ｂを押すことにより回転モータ２４が回転し、クロスシリンダレンズ３２が９０゜回転する。この正転と反転を繰り返し、被検者にどちらが明瞭であるかを尋ね、正転時であるならば、乱視レンズ１４、１５を反時計方向に同角度回転されるべく、ロータリエンコーダ４８を反時計方向に回転する。再度正転反転を繰り返し、正転時と、反転時での見え方が同じになるまでロータリエンコーダ４８を操作して、乱視軸角度を修正する。
　　　【００１５】
　次に乱視度数の精密修正を行う際は、乱視度数選択スイッチ４２を押すことにより、クロスシリンダレンズ３２のマイナス軸が乱視レンズ１４、１５の合成乱視軸と直交する角度になるよう、ＣＰＵ５０から信号が発せられ、モータ２４が回転する。次にクロスシリンダ反転スイッチ４６Ｂを押すことにより、クロスシリンダレンズ３２が９０゜回転する。この操作を繰り返し、正転時と反転時での見え方が同じになるまでロータリエンコーダ４８を操作して乱視度数の修正を行う。
　　　【００１６】
　以上のクロスシリンダテストは最も一般的なものであるが、本実施例ではこれに加え、同時比較が可能なクロスシリンダテスト用レンズ３４を具備している。図３において、プリズム３６の被検眼２側に接合されている３８のレンズはマイナス軸がプリズム３６の基底方向に対し平行なクロスシリンダレンズであり、３７はプリズム３６の基底方向に対し直角にマイナス軸を持つクロスシリンダレンズである。
　クロスシリンダ選択スイッチ７０にて、クロスシリンダテスト用のレンズとしてレンズ３４を選択する。軸角度選択スイッチ４３を押し、クロスシリン夕゛正転スイッチ４６Ａまたはクロスシリンダ反転スイッチ４６Ｂを押すと、レンズ３４が図３のように測定光軸１上にセットされるとともに、プリズム３６の稜線が図６に示すようにプラス、マイナス乱視レンズ１４、１５の合成乱視のマイナス軸に対し４５゜傾斜した角度に回転する。この状態を被検眼２側から見たものが図７であり、プリズム３６のプリズム作用により、被検眼前方約５ｍの位置に置かれた１つのチャート文字「８」の像は、クロスシリンダレンズ３８を通して見た像７１と、クロスシリンダレンズ３７を通して見た像７２に二分して視認される。図１０はこの状態における操作部７５の外観図であり、クロスシリンダテスト中であることを示す照明文字７７が点灯しており、その乱視軸測定中であることを示すランプ７６も点灯している。さらに、クロスシリンダテスト用のレンズ３４の回転位置をＲＡＭ５２が記憶していることから、クロスシリンダレンズ３８側の像分離方向を示すランプ７９を点灯させるよう、ＣＰＵ５０が出力回路５３を通じ表示部６９に信号を送る。また、ロータリエンコーダ４８の左右にはランプ８０、８１があり、ロータリエンコーダをプラス側に回転する方向（乱視軸角度を反時計方向に変える方向）にランプ８０は点滅させ、ランプ８１は点灯させておく。
　　　【００１７】
　検者は操作部のランプ７８、７９を見ることにより、被検者が視認する２つの像の方向が確認できるので、被検者に対し「左上の８の字と右下の８の字とどちらが明瞭に見えますか」と適切な質問を直ちにすることができる。被検者が左上と答えた場合は、プラス及びマイナスの乱視レンズ１４、１５の合成乱視のマイナス軸を反時計方向に回し、修正する必要があるが、点滅している左上のランプ７８と同じく点滅しているランプ８０側にロータリエンコーダ４８を回すことにより、簡単に軸角度の修正ができる。
　　　【００１８】
　次にレンズ３４を使用する乱視度数のテストについて述べる。乱視度数選択スイッチ４２を押すことにより、図１１のランプ８２が点灯し乱視度数測定状態であることを示し、プラス及びマイナスの乱視レンズ１４、１５の合成乱視のマイナス軸に対し、クロスシリンダレンズ３８のマイナス軸が平行になるようレンズ３４を図８に示す如く回転させる。このとき、被検眼２から見た像は図９の如く、左右に分離され、左側の像がクロスシリンダレンズ３８を通した像である。図９の７３の像に対応する方向のランプ８３を点灯させ、７４の像に対応する方向のランプ８４を点滅させ、さらに乱視が増加する方向のランプ８１を点灯し、乱視が減る方向のランプ８０を点滅させておく。検者は図１１のランプ８３、８４を見ながら、被検眼に見える像の分離方向を判断する。「右側の８の字と、左側の８の字とどちらが明瞭に見えますか」と質問することができ、被検者が左と答えた場合には、点灯している左側のランプ８３と同じく点滅しているランプ８０側にロータリエンコーダ４８を回す。右と答えた場合はロータリエンコーダ４８をランプ８１側に回す。このようにして、像７３と７４が同じ程度になるまで乱視度数を修正する。
　　　【００１９】
　以上の例では、像の分離方向は上下及び左右に及んだが、次のようにすることで像を左右方向にのみ分離することができる。なお、この場合は像分離方向を示すランプは左右２つあれば足りる。すなわち、乱視度数のクロスシリンダテストにおいて、プラス及びマイナスの乱視レンズ１４、１５の合成乱視軸が４５゜〜１３５°の場合には、合成乱視軸に対し、クロスシリンダレンズ３７のマイナス軸を一致させ、図１１におけるランプ８３側を点滅させ、ランプ８４側を点灯させることにより、像を右側０°±４５°の範囲、左側１８０°±４５°の範囲内に常に収めることができる。
　乱視軸のクロスシリンダテストにおいても、合成乱視軸が０゜〜９０゜のときは、クロスシリンダレンズ３７のマイナス軸と合成乱視のマイナス軸に対し、反時計方向に４５゜の角度でセットし、像分離方向を示す右側ランプを点滅させ、左側ランプを点灯させ、また、８０を点滅させ、８１を点灯させる。
　合成乱視軸が９０°〜１８０°のときは、クロスシリンダレンズ３８のマイナス軸と合成乱視のマイナス軸に対し、反時計方向に４５゜の角度でセットし、左側ランプと８０を点滅させ、右側ランプと８１を点灯させる。
　なお、以上の実施例ではコストのかからない装置として、ランプの点灯と点滅によって表示しているが、２色ＬＥＤ等での色の区別による表示でも良いし、表示部に液晶表示ＣＲＴディスプレイ等を用い、文字による指示を行うことにより、さらに使いやすくなる。文字表示としては、例えば図１２のように表示する。
　　　【００２０】
　　【発明の効果】
　以上に示したように、本発明によれば、被検者が認知する２つの視標の見掛上の配置方向を検者が直ちに知ることができるので、検者は迷うことなく被検者に適切な質問を行うことができるとともに、必要な前記操作ユニットによる乱視度数又は乱視軸の変更を被検者の応答に対応させて検者に示すこと
が
　さらに、プリズムにより分離された２つの視標の見掛上の配置方向を例えば左右というように一定の方向で表現できるので、一層検査を円滑にすることができる。
【図面の簡単な説明】
　　【図１】
　本発明に係る自覚的屈折力検査装置本体の左側測定ユニットを上側から見た断面図である。
　　【図２】
　補助レンズディスクＢを被検眼側から見た図である。
　　【図３】
　像を分離することにより同時比較が可能な自覚的屈折力検査装置の説明図である。
　　【図４】
　本発明に係る自覚的屈折力検査装置の制御ブロック図である。
　　【図５】
　補助レンズディスクＡを被検眼側から見た図である。
　　【図６】
　乱視軸のクロスシリンダテストの説明図である。
　　【図７】
　乱視軸のクロスシリンダテスト時の被検眼から見たチャート像の図である。
　　【図８】
　乱視度数のクロスシリンダテストの説明図である。
　　【図９】
　乱視度数のクロスシリンダテスト時の被検眼から見たチャート像の図である。
　　【図１０】
　乱視軸のクロスシリンダテスト時における操作部の外観図である。
　　【図１１】
　乱視度数のクロスシリンダテスト時における操作部の外観図である。
　　【図１２】
　表示部に液晶表示ＣＲＴディスプレイ等を用い、文字による指示を行う場合の
文字表示の例を示した図である。
　　【符号の説明】
　４Ａ、４Ｂ　補助レンズディスク
　５　強球面レンズディスク
　６　弱球面レンズディスク
　１２　プラス乱視レンズディスク
　１３　マイナス乱視レンズディスク
　１４、１５　乱視レンズ
　３６　プリズム
　３７、３８　クロスシリンダテスト用レンズ